(57)【要約】      （修正有）【課題】施工時に管材等の干渉に影響なくユニットルームの床パンを設置することができるユニットルームの床パン構造を提供する。【解決手段】床パン７を支持し、該床パン７の高さを調節可能とするアジャスター装置３が固定設置された支持枠１と、上記支持枠１を被覆するオーバーレイ２とで構成されるユニットルームの床パン構造であって、上記アジャスター装置３の標準取付位置１ａの周辺部近傍は、取り外し可能なアジャスター基台５を取付可能なように上記オーバーレイ２を被覆させず、露出面１ｂを設けられたことを特徴とする。【選択図】図１
2006299721.tif 000002
【特許請求の範囲】
【請求項１】
床パンを支持し、該床パンの高さを調節可能とするアジャスター装置が固定設置される支持枠と、上記支持枠を被覆するオーバーレイとで構成されるユニットルームの床パン構造であって、
上記アジャスター装置の標準取付位置の周辺部近傍は、アジャスター基台を取付可能なように上記オーバーレイを被覆させず、露出面が設けられたことを特徴とするユニットルームの床パン構造。
【請求項２】
請求項１において
上記アジャスター基台は、上記支持枠に跨るように取り付けられ、該アジャスター基台と上記支持枠との間には、弾性材を介在させたことを特徴とするユニットルームの床パン構造。
【発明の詳細な説明】
【技術分野】
【０００１】
本発明は、浴室やシャワールーム等のユニットルームの床パン構造に関し、詳しくは床パンを支持し、該床パンの高さを調節可能とするアジャスター装置が固定設置された支持枠と、上記支持枠を被覆するオーバーレイとで構成されるユニットルームの床パン構造に関するものである。
【背景技術】
【０００２】
従来より、浴室等のユニットルームにおける床パン構造として、床パンの下面部を角パイプでなる支持枠を配して支持し、その支持枠の適所に垂設されるアジャスター装置のボルトを調整することにより、床パンの高さを調整する構造が知られている。
例えば下記特許文献１には、上述のような床パン構造が開示されている。
【特許文献１】特開平７−３４４９８号公報
【発明の開示】
【発明が解決しようとする課題】
【０００３】
ところで、このような床パン構造において、支持枠の角パイプ同士を固定するために、支持枠にＦＲＰ等でなるオーバレイを積層し構成されたものがある。
図４は、このようなユニットルームの床パン構造を示したものであり、支持枠のコーナー部周辺を裏面から見た斜視図である。
図中、支持枠１００のコーナー部１００ａに設けられているのは、ボルト３００ａとナット３００ｂとで構成されるアジャスター装置３００であり、ナット３００ｂは予めコーナー部１００ａ（標準取付位置）に溶接されている。ユニットルームを施工する際には、床パンの高さを該アジャスター装置３００のボルト３００ａによって調整する構造となっており、支持枠１００は該ナット３００ｂが溶接される箇所、すなわち、コーナー部１００ａを除く全面をオーバーレイ２００で被覆されて構成されている。
【０００４】
しかしながら、このような構造の床パンを施工する際には、コーナー部１００ａに設けられたアジャスター装置３００が管材等に干渉してしまうことがあり、この場合、管材の位置をずらしたり、管材を迂回させたりしないと施工ができないという問題があり、施工に支障をきたしていた。
そこでこの問題を解消するために、アジャスター装置（不図示）をオーバーレイ２００が被覆された上から取り付け、管材との干渉を回避して床パンを支持する方法が考えられるが、これでは、設置床から床パンまでの最低床下寸法が、オーバーレイ２００の厚み分だけ増してしまい問題となる。
またこのようにオーバーレイ２００が被覆された上からアジャスター基台を取り付けようとする場合、オーバーレイ２００は比較的肉厚に構成されることが多いため、取付が安定しないという問題もある。
【０００５】
本発明は上記問題点に鑑みなされたものであり、施工時に管材等の干渉に影響なくユニットルームの床パンを設置することができるユニットルームの床パン構造を提供するものである。
【課題を解決するための手段】
【０００６】
上記課題を解決するために、請求項１の発明に係るユニットルームの床パン構造は、床パンを支持し、該床パンの高さを調節可能とするアジャスター装置が固定設置される支持枠と、上記支持枠を被覆するオーバーレイとで構成されるユニットルームの床パン構造であって、アジャスター装置の標準取付位置の周辺部近傍は、アジャスター基台を取付可能なように上記オーバーレイを被覆させず、露出面が設けられたことを特徴とする。
【０００７】
本発明において、請求項２のように、上記アジャスター基台は、支持枠に跨るように取り付けられ、該アジャスター基台と上記支持枠との間には、弾性材を介在させて取り付けられるようにしてもよい。
【発明の効果】
【０００８】
本発明の請求項１によれば、アジャスター装置の標準取付位置の周辺部近傍は、アジャスター基台が取付可能なようにオーバーレイを被覆させず、露出面を設けているので、この露出面上であればどこでも標準取付位置に設置されたアジャスター装置とは別の位置にアジャスター装置のアジャスター基台を取り付けることができる。
よって現場での施工時に、標準取付位置に設けられたアジャスター装置が管材等と干渉する場合は、アジャスター基台を管材等と干渉しないように調整しながら取り付けることができる。すなわち管材等に邪魔されることなく、床パンを所定の位置に設置できるので、管材をずらしたり、管材を迂回させたりする必要がなくスムーズに床パンの設置が可能となる。
又、オーバーレイを介在させることなく、アジャスター基台を支持枠上に直に取り付けることができるので、床下の必要寸法を小さくおさえることができる。
更に支持枠は上記露出面以外はオーバーレイで被覆された状態にあるので、床パンと支持枠とを固定し、支持枠の角パイプ同士の固定状態の補強機能を維持できる。
【０００９】
請求項２によれば、アジャスター基台は、支持枠に跨るように取り付けられ、該アジャスター基台と上記支持枠との間には、弾性材を介在させているので、この弾性材が緩衝材となり、支持枠とアジャスター基台とが金属製であっても、両者の間に生じる剛体同士の音鳴り等を防止することができる。
【発明を実施するための最良の形態】
【００１０】
以下、図とともに本発明の実施の形態について説明する。
【実施例１】
【００１１】
図１（ａ）（ｂ）は本発明のユニットルームの床パン構造が採用された支持枠の要部拡大斜視図であって、図２のＸ部の拡大図、図２は支持枠の全体斜視図、図３はアジャスター装置の側面図である。
図において、１は床パン７を上に載置し、これを固定支持する支持枠、１ａは方形でなる支持枠１のコーナー部（標準取付位置）、１ｂはオーバーレイ２で被覆されていない露出面、２はＦＲＰ（ガラス繊維強化プラスチック）、ポリエステル樹脂等でなり、床パン７と支持枠１とを固定し、支持枠１の組付状態の形状を保持するオーバレイ、３及び４はボルト３ａ、４ａとナット３ｂ、３ｃ、４ｂ、４ｃとでなり、床パン７の高さを調整するアジャスター装置、５はアジャスター基台、６はアジャスター基台５を支持枠１に固定するためのねじ、７は床パン、Ｐはゴム等でなる弾性材である。
【００１２】
支持枠１に固定設置されているアジャスター装置３のナット３ｂは、予め標準取付位置１ａに溶接により固着されており、ナット３ｂ及び３ｃでなるダブルナットとボルト３ａとが螺合して、これにより締付応力が働いて、高さ調整された床パン７の位置を安定維持し、床パン７が載置される支持枠１を強固に支持可能としている。
支持枠１は図２に示すように、鋼板製の角状のパイプを組み合わせて床パン及びその上に設置される浴槽（不図示）の形状に応じて構成される。
なお、ここではコーナー部１ａの標準取付位置に、固定設置されているアジャスター装置を３とし、アジャスター基台５により、支持枠１の露出面１ｂの所望の位置に、施工現場で取り付け可能なアジャスター装置を４として区別して符号を付し、以後説明する。
また図１に示す支持枠１は説明のため天地を逆にした状態を示しており、図１（ａ）は取り外し可能なアジャスター基台５が設置されていない状態、（ｂ）は該アジャスター基台５が設置されている状態を示している。
【００１３】
本発明の床パン構造は、アジャスター装置３の標準取付位置１ａの周辺部近傍は、取り外し可能なアジャスター基台５が取付可能なようにオーバーレイ２を被覆させず、露出面１ｂが設けられたことを特徴としている。
この構成によれば、露出面１ｂ上であればどこでも標準取付位置１ａに設置されたアジャスター装置３とは別に取り外し可能なアジャスター装置４のアジャスター基台５を取り付けることができる。
よって、アジャスター装置４（アジャスター基台５）は施工にあたり、コーナー部１ａのアジャスター装置３で床パンを支持させようとすると、管材等が邪魔して施工できない場合に用いられ、露出面１ｂの範囲内であれば管材等からずらしてアジャスター装置４を取り付けることができる。
【００１４】
すなわち、図１（ｂ）及び図３に示すように、管材等を避けるように、アジャスター装置４を用いる場合は、標準取付位置１ａに設置されるアジャスター装置３は使用せず、アジャスター装置４により床パン７及び支持枠１を支持することになる。
よって現場での施工時に、管材をずらしたり、管材を迂回させたりする必要がなく、スムーズに所定の位置に床パン７を設置することができる。
また露出面１ｂ以外の支持枠１の上面は、オーバーレイ２で被覆された状態にあるので、床パンと支持枠とを固定し、支持枠の角パイプ同士の固定状態の補強機能を維持できる。
更にオーバーレイ２を介在させることなく、アジャスター基台５を支持枠１上に直に取り付けることができるので、床下の必要寸法を小さくおさえることができる。
【００１５】
ここで、アジャスター基台５はビス孔を予め形成しておくことを要しないタッピングねじ６を用いて露出面１ｂの適所に取り付けられる。またアジャスター基台５は、支持枠１に跨るように取り付けられるので、角パイプの形状に沿って、断面コの字形状とされ、該アジャスター基台５と支持枠１との間には、弾性材Ｐを介在させて構成してもよい。更にアジャスター基台５に使用するボルトは、アジャスター装置３のものを流用すれば良い。
支持枠１もアジャスター基台５も鋼板製でなるため、該弾性材を介在させれば、これが緩衝材となり支持枠１とアジャスター基台５との間に生じる音鳴り等を防止することができるからである。
【００１６】
以上、ここではユニットルームとして浴室に適用した例を示しているが、これに限られず、シャワールーム等にも適用可能であり、支持枠やアジャスター装置等の形状等は図例のものに限定されないことは言うまでもない。
【図面の簡単な説明】
【００１７】
【図１】（ａ）（ｂ）は本発明のユニットルームの床パン構造が採用された支持枠の要部拡大斜視図であって、図２のＸ部の拡大図である。
【図２】本発明の支持枠の全体斜視図である。
【図３】本発明のアジャスター装置の側面図である。
【図４】従来のユニットルームの床パン構造が採用された支持枠の要部拡大斜視図である。
【符号の説明】
【００１８】
１        支持枠
２        オーバーレイ
３、４     アジャスター装置
５        アジャスター基台
Ｐ        弾性材
【図１】
2006299721.tif 000003
【図２】
2006299721.tif 000004
【図３】
2006299721.tif 000005
【図４】
2006299721.tif 000006